(57)【要約】  【課題】冷蔵室のドア開閉が増加する夏場においても、冷凍室の能力を確保する冷蔵庫を提供することを目的とする。  【解決手段】第１の冷却器２６で冷蔵室１８及び製氷室２０、野菜室２２を冷却し、第２の冷却器３０で第１の冷凍室１９、第２の冷凍室２１を冷却することにより、夏場冷蔵室のドア開閉が増え冷蔵室に暖湿気が流入して、第１の冷却器に霜が付着し、冷却能力が低下しても、第２の冷却器３０は全く影響受けないため冷凍室２１の冷凍能力を十分確保することができる。【選択図】図２
2006010164.tif 000002
【特許請求の範囲】
【請求項１】
本体の最上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、本体の最下部に設けられた第２の冷凍室と、前記製氷室及び前記第１の冷凍室と前記第２の冷凍室の間に設けられた野菜類を貯蔵する野菜室と、前記冷蔵室背面に設置した第１の冷却器と、第１の冷却器と冷蔵室を仕切り、第１の冷却器によって冷却された冷気を前記冷蔵室及び製氷室、野菜室に導くための冷蔵系吐出風路及び前記冷蔵室と製氷室、野菜室を冷却した冷気を第１の冷却器に戻すための冷蔵系戻り風路を設けた冷蔵室用ダクトと、前記第２の冷凍室の奥に設置した第２の冷却器と、第２の冷却器と第２の冷凍室を仕切り、前記第２の冷却器で冷却された冷気を野菜室の背面を経由して、前記第２の冷凍室及び前記第１の冷凍室へ導く冷凍系吐出風路及び第２の冷凍室及び第１の冷凍室を冷却した冷気を第２の冷却器に戻すための冷凍系戻り風路を設けた冷凍室用ダクトを備え、前記第１の冷却器で冷蔵室及び製氷室、野菜室を冷却し、前記第２の冷却器で第２の冷凍室及び第１の冷凍室を冷却することを特徴とする冷蔵庫。
【請求項２】
野菜室の天井の下部に位置し、冷蔵室用ダクトから野菜室に導かれた冷気を受ける樹脂プレートを取り付けたことを特徴とする請求項１記載の冷蔵庫。
【請求項３】
野菜室の天井の下部に位置し、冷蔵室用ダクトから野菜室に導かれた冷気を受ける熱伝導性プレートを取り付けたことを特徴とする請求項１記載の冷蔵庫。
【請求項４】
野菜室内に野菜収納ケースを備え、前記野菜収納ケース上部に蓋を取りつけたことを特徴とする請求項１記載の冷蔵庫。
【請求項５】
冷蔵系吐出風路に野菜室への冷気風量を調節するダンパーと前記ダンパーを制御する温度センサーを野菜室内に設けたことを特徴とする請求項１から４のいずれか一項に記載の冷蔵庫。
【発明の詳細な説明】
【技術分野】
【０００１】
本発明は、複数の貯蔵室を有し複数の冷却器で各室を冷却する冷蔵庫に関するものである。
【背景技術】
【０００２】
近年、使い勝手の向上を図るため、様々なレイアウトの冷蔵庫が発売されている（例えば、特許文献１参照）。
【０００３】
図９は、特許文献１に記載された従来の冷蔵庫を示すものである。図９に示すように冷蔵庫本体１０１と、この本体の上部に設けられた冷蔵室１０２と、冷蔵室の下に設けられた切替室１０３と、冷蔵室の下で切替室に並列に設けられた製氷室１０４と、本体下部設けられた冷凍室１０５と、並列に設置された切替室及び製氷室と冷凍室の間に設けられた野菜室１０６と、冷気を生成する冷却器１０７と、冷気を各室に供給するファン装置１０８とを有し、冷凍室に冷気を供給するための冷凍室用送風路１０９と、製氷室に冷気を供給するための製氷用送風路１１０と、製氷室から冷気を冷却室に戻す製氷室用帰還風路１１１と、製氷室用送風路を通る冷気の一部を分流させて、切替室に送る切替室用送風路１１２と、切替室から冷気を冷却器に戻すための切替室用帰還風路１１３と、切替室用送風路を通る冷気の一部を分流させて、冷蔵室に送る冷蔵室用送風路１１４と、冷蔵室に送られた冷気を野菜室に戻すための冷蔵室用帰還風路１１５と、野菜室に送ら冷気を冷却器に戻すための野菜室用帰還風路１１６から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却をカバーせねばならず、特に夏場冷蔵室の扉開閉が増えた場合、多量の暖湿気が冷却器に戻ることにより冷却器に霜が付着し、冷却器の能力が大幅にダウンし、冷凍室の冷却能力が落ちるという課題を有していた。
【０００５】
本発明は、上記従来の課題を解決するもので、冷蔵室のドア開閉が増加する夏場においても、冷凍室の能力を確保する冷蔵庫を提供することを目的とする。
【課題を解決するための手段】
【０００６】
上記従来の課題を解決するために、本体の最上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、本体の最下部に設けられた第２の冷凍室と、前記製氷室及び前記第１の冷凍室と前記第２の冷凍室の間に設けられた野菜類を貯蔵する野菜室と、前記冷蔵室背面に設置した第１の冷却器と、第１の冷却器と冷蔵室を仕切り、第１の冷却器によって冷却された冷気を前記冷蔵室及び製氷室、野菜室に導くための冷蔵系吐出風路及び前記冷蔵室と製氷室、野菜室を冷却した冷気を第１の冷却器に戻すための冷蔵系戻り風路を設けた冷蔵室用ダクトと、前記第２の冷凍室の奥に設置した第２の冷却器と、第２の冷却器と第２の冷凍室を仕切り、前記第２の冷却器で冷却された冷気を野菜室の背面を経由して、前記第２の冷凍室及び前記第１の冷凍室へ導く冷凍系吐出風路及び第２の冷凍室及び第１の冷凍室を冷却した冷気を第２の冷却器に戻すための冷凍系戻り風路を設けた冷凍室用ダクトを備え、前記第１の冷却器で冷蔵室及び製氷室、野菜室を冷却し、前記第２の冷却器で第２の冷凍室及び第１の冷凍室を冷却することを特徴としたものである。
【０００７】
これによって、第１の冷却器で冷蔵室及び製氷室、野菜室を冷却し、第２の冷却器で第２の冷凍室及び第１の冷凍室を冷却するようにしたことにより、夏場冷蔵室のドア開閉が増え冷蔵室に暖湿気が流入して第１の冷却器の冷却能力が低下しても、第２の冷却器は全く影響を受けない。
【発明の効果】
【０００８】
本発明の冷蔵庫は第１の冷却器で冷蔵室と製氷室、野菜室を冷却し、第２の冷却器で冷蔵室と野菜室以外の第１の冷凍室、第２の冷凍室を冷却するようにしたことにより、夏場冷蔵室のドア開閉が増え冷蔵室に暖湿気が流入して第１の冷却器の冷却能力が低下しても、第２の冷却器は全く影響を受けないため、第２の冷凍室の冷凍能力を十分確保することができる。
【発明を実施するための最良の形態】
【０００９】
請求項１に記載の発明は、本体の最上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、本体の最下部に設けられた第２の冷凍室と、前記製氷室及び前記第１の冷凍室と前記第２の冷凍室の間に設けられた野菜類を貯蔵する野菜室と、前記冷蔵室背面に設置した第１の冷却器と、第１の冷却器と冷蔵室を仕切り、第１の冷却器によって冷却された冷気を前記冷蔵室及び製氷室、野菜室に導くための冷蔵系吐出風路及び前記冷蔵室と製氷室、野菜室を冷却した冷気を第１の冷却器に戻すための冷蔵系戻り風路を設けた冷蔵室用ダクトと、前記第２の冷凍室の奥に設置した第２の冷却器と、第２の冷却器と第２の冷凍室を仕切り、前記第２の冷却器で冷却された冷気を野菜室の背面を経由して、前記第２の冷凍室及び前記第１の冷凍室へ導く冷凍系吐出風路及び第２の冷凍室及び第１の冷凍室を冷却した冷気を第２の冷却器に戻すための冷凍系戻り風路を設けた冷凍室用ダクトを備え、前記第１の冷却器で冷蔵室及び製氷室、野菜室を冷却し、前記第２の冷却器で第２の冷凍室及び第１の冷凍室を冷却することで、夏場冷蔵室のドア開閉が増え冷蔵室に暖湿気が流入して第１の冷却器の冷却能力が低下しても、第２の冷却器は全く影響受けないため第２の冷凍室の冷凍能力を十分確保することができる。
【００１０】
さらに野菜室の上下の部屋が製氷室と第１、第２の冷凍室と冷凍系の貯蔵室で、野菜室背面には冷凍室用ダクトが配置しているので、熱伝導による野菜室への冷却効果を生じさせることができ、冷蔵系吐出風路から野菜室へ導かれる冷気量を低減できるので、その分冷蔵室への冷気量を増加させることができ冷蔵室性能を高めることができる。
【００１１】
請求項２に記載の発明は、請求項１に記載の発明において、野菜室の天井の下部に位置し、冷蔵室用ダクトから野菜室に導かれた冷気を受ける樹脂プレートを取り付けたことにより、夏場冷蔵室のドア開閉が増え冷蔵室に暖湿気が流入して第１の冷却器の冷却能力が低下しても、第２の冷却器は全く影響受けないため第２の冷凍室の冷凍能力を十分確保することができる。
【００１２】
さらに、野菜室内に導かれた冷気により樹脂プレートを冷却することで、樹脂プレート下部の野菜室を間接的に冷やしているので、野菜室の湿度の低下を抑え野菜の保鮮性を向上させることができる。
【００１３】
請求項３に記載の発明は、請求項１に記載の発明において、野菜室の天井の下部に位置し、冷蔵室用ダクトから野菜室に導かれた冷気を受ける熱伝導性プレートを取り付けたことにより、野菜室の冷却効率は高まるとともに、野菜室内は高湿となり野菜類の保鮮性を向上させることができる。
【００１４】
請求項４に記載の発明は、請求項１に記載の発明において、野菜室内に野菜収納ケースを備え、前記野菜収納ケース上部に蓋を取りつけたものであり、冷蔵系吐出風路から導かれた冷気によって前記蓋及び野菜収納ケースの周囲を冷却することで、間接的に野菜収納ケース内を冷却し、野菜収納ケース内の湿度を維持でき、野菜類の保鮮性を向上させることができる。
【００１５】
請求項５に記載の発明は、請求項１から４のいずれか一項に記載の発明において、冷蔵系吐出風路に野菜室への冷気風量を調節するダンパーと前記ダンパーを制御する温度センサーを野菜室内に設けたものであり、野菜室の扉開閉や外気温などの負荷変動に応じて、野菜室への風量の適正化が図られるので、負荷変動があっても野菜室の温度変化は少なく、野菜の保鮮性を向上させることができる。
【００１６】
以下、本発明の実施の形態について、図面を参照しながら説明する。なお、この実施の形態によってこの発明が限定されるものではない。
【００１７】
（実施の形態１）
図１は本発明の実施の形態１による冷蔵庫の正面図、図２は本発明の実施の形態１による冷蔵庫の風路図、図３は本発明の実施の形態１における冷蔵室ダクトの風路断面図、図４は本発明の実施の形態１における冷凍室ダクトの風路断面図である。
【００１８】
図１において１７は冷蔵庫本体であり、最上部に冷蔵室１８と、冷蔵室１８の下方に第１の冷凍室１９と、第１の冷凍室１９と並列配置された製氷及び氷の貯蔵を行う製氷室２０と、本体下部に設けられた第２の冷凍室２１と、並列配置した製氷室２２及び第１の冷凍室１９と第２の冷凍室２１の間に設けられた、野菜類を貯蔵する野菜室２２を有する。
【００１９】
図２、３、４において、２３は第１の仕切り壁であり、冷蔵室１８と製氷室２０及び第１の冷凍室１９を仕切っている。２４は第２の仕切り壁であり、製氷室２０及び第１の冷凍室１９と野菜室２２を仕切っている。２５は第３の仕切り壁で、野菜室２２と第２の冷凍室２１を仕切っている。２６は第１の冷却器であり冷蔵室１８の背面に設置されている。２７は冷蔵室用ダクトであり、第１の冷却器２６によって冷却された冷気を冷蔵室１８及び製氷室２２、野菜室２２に導くための冷蔵系吐出風路と冷蔵室１８と野菜室２２を冷却した冷気を第１の冷却器２６に戻すための冷蔵系戻り風路を有しており、第１の冷却器２６の前に設置される。２８は冷蔵室用冷却ファンであり第１の冷却器２６で発生した冷気を循環させる。３０は、第２の冷却器であり、第２の冷凍室２１の背面に設置されている。３１は冷凍室用ダクトであり、第２の冷却器３０で冷却された冷気を第１の冷凍室１９及び第２の冷凍室２１へ導く冷凍系吐出風路と第１の冷凍室１９及び第２の冷凍室２１を冷却した冷気を第２の冷却器３０に戻すための冷凍系戻り風路を有しており、第２の冷却器３０の前に設置される。３２は冷凍室用冷却ファンであり、第２の冷却器３０で発生した冷気を循環させる。
【００２０】
以上のように構成された冷蔵庫について、以下その動作、作用について説明する。
【００２１】
冷蔵室１８及び製氷室２２、野菜室２２は第１の冷却器２６によって冷却される冷気を直接循環させることによって冷却される。また、第１の冷凍室１９及び第２の冷凍室２１は、第２の冷却器３０で冷却された冷気を直接循環させることによって冷却される。
【００２２】
以上のように、本実施の形態においては、最上部に冷蔵室１８と、冷蔵室１８の下方に第１の冷凍室１９と並列配置された製氷及び氷の貯蔵を行う製氷室２０と、本体下部に設けられた第２の冷凍室２１と、並列配置した製氷室２２及び第１の冷凍室１９と第２の冷凍室２１の間に設けられた野菜類を貯蔵する野菜室２２とを有し、冷蔵室１８の背面に第１の冷却器２６を、第２の冷凍室２１の奥に第２の冷却器２０を設置したものにおいて、第１の冷却器２６で冷蔵室１８及び製氷室２０、野菜室２２を冷却し、第２の冷却器３０で第１の冷凍室１９及び第２の冷凍室２１を冷却するようにしたことにより、夏場冷蔵室１８のドア開閉が増え冷蔵室１８に暖湿気が流入して、第１の冷却器２６に霜が付着し、冷却能力が低下しても、第２の冷却器３０は全く影響受けないため冷凍室２１の冷凍能力を十分確保することができる。
【００２３】
また、野菜室２２の上下の部屋が製氷室２０と第１の冷凍室１９、第２の冷凍室２１と冷凍系の貯蔵室で、野菜室２２の背面には冷凍系吐出風路と冷凍系戻り風路が配置しているので、熱伝導による野菜室２２への冷却効果を生じさせることができ、冷蔵系吐出風路から野菜室２２へ導かれる冷気量を低減できるので、その分冷蔵室１８への冷気量を増加させることができ冷蔵室性能を高めることができる。
【００２４】
（実施の形態２）
図１は本発明の実施の形態２による冷蔵庫の正面図である。図２は本発明の実施の形態２による冷蔵庫の風路図である。図５は本発明の実施の形態２における冷蔵室ダクトの風路断面図である。
【００２５】
図１の説明は実施の形態１と同様であるため省略する。
【００２６】
図２、図５において、第１の仕切り壁２３、第２の仕切り壁２４、第３の仕切り壁２５、第１の冷却器２６、冷蔵室用ダクト２７、冷蔵室用冷却ファン２８、第２の冷却器３０、冷凍室用ダクト３１、冷凍室用冷却ファン３２は実施の形態１と同様であるため詳細な説明は省略する。３３は樹脂プレートであり、冷蔵室用冷却ファン２８によって、野菜室２２に導かれた冷気を受け、冷蔵室用戻り風路２７ｂに導いている。
【００２７】
以上のように構成された冷蔵庫について、以下その動作、作用について説明する。
【００２８】
冷蔵室１８及び製氷室２２、野菜室２２は第１の冷却器２６によって冷却される冷気を直接循環させることによって冷却される。また、第１の冷凍室１９及び第２の冷凍室２１は、第２の冷却器３０で冷却された冷気を直接循環させることによって冷却される。
【００２９】
以上のように、本実施の形態においては、最上部に冷蔵室１８と、冷蔵室１８の下方に第１の冷凍室１９と並列配置された製氷及び氷の貯蔵を行う製氷室２０と、本体下部に設けられた第２の冷凍室２１と、並列配置した製氷室２２及び第１の冷凍室１９と第２の冷凍室２１の間に設けられた野菜類を貯蔵する野菜室２２とを有し、冷蔵室１８の背面に第１の冷却器２６を、第２の冷凍室２１の奥に第２の冷却器２０を設置したものにおいて、第１の冷却器２６で冷蔵室１８及び製氷室２０、野菜室２２を冷却し、第２の冷却器３０で第１の冷凍室１９及び第２の冷凍室２１を冷却するようにしたことにより、夏場冷蔵室１８のドア開閉が増え冷蔵室１８に暖湿気が流入して、第１の冷却器２６に霜が付着し、冷却能力が低下しても、第２の冷却器３０は全く影響受けないため冷凍室２１の冷凍能力を十分確保することができる。
【００３０】
また、野菜室２２の上下の部屋が製氷室２０と第１の冷凍室１９、第２の冷凍室２１と冷凍系の貯蔵室で、野菜室２２の背面には冷凍系吐出風路と冷凍系戻り風路が配置しているので、熱伝導による野菜室２２への冷却効果を生じさせることができ、冷蔵系吐出風路から野菜室２２へ導かれる冷気量を低減できるので、その分冷蔵室１８への冷気量を増加させることができ冷蔵室性能を高めることができる。
【００３１】
また、野菜室２２に導かれた冷気により樹脂プレート３３が冷却されることで、野菜室２２を間接的に冷やしているので、野菜室２２内の湿度の低下を抑え野菜の保鮮性を向上させることができる。
【００３２】
（実施の形態３）
図１は本発明の実施の形態３による冷蔵庫の正面図である。図２は本発明の実施の形態３による冷蔵庫の風路図である。図６は本発明の実施の形態３における冷蔵室ダクトの風路断面図である。
【００３３】
図１の説明は実施の形態１と同様であるため省略する。
【００３４】
図２、図６において、第１の仕切り壁２３、第２の仕切り壁２４、第３の仕切り壁２５、第１の冷却器２６、冷蔵室用ダクト２７、冷蔵室用冷却ファン２８、第２の冷却器３０、冷凍室用ダクト３１、冷凍室用冷却ファン３２は実施の形態１と同様であるため詳細な説明は省略する。３４は熱伝導性のアルミプレートであり、冷蔵室用冷却ファン２８によって、野菜室２２に導かれた冷気を受け、冷蔵室用戻り風路に導いている。
【００３５】
以上のように構成された冷蔵庫について、以下その動作、作用について説明する。
【００３６】
冷蔵室１８及び製氷室２２、野菜室２２は第１の冷却器２６によって冷却される冷気を直接循環させることによって冷却される。また、第１の冷凍室１９及び第２の冷凍室２１は、第２の冷却器３０で冷却された冷気を直接循環させることによって冷却される。
【００３７】
以上のように、本実施の形態においては、最上部に冷蔵室１８と、冷蔵室１８の下方に第１の冷凍室１９と並列配置された製氷及び氷の貯蔵を行う製氷室２０と、本体下部に設けられた第２の冷凍室２１と、並列配置した製氷室２２及び第１の冷凍室１９と第２の冷凍室２１の間に設けられた野菜類を貯蔵する野菜室２２とを有し、冷蔵室１８の背面に第１の冷却器２６を、第２の冷凍室２１の奥に第２の冷却器２０を設置したものにおいて、第１の冷却器２６で冷蔵室１８及び製氷室２０、野菜室２２を冷却し、第２の冷却器３０で第１の冷凍室１９及び第２の冷凍室２１を冷却するようにしたことにより、夏場冷蔵室１８のドア開閉が増え冷蔵室１８に暖湿気が流入して、第１の冷却器２６に霜が付着し、冷却能力が低下しても、第２の冷却器３０は全く影響受けないため冷凍室２１の冷凍能力を十分確保することができる。
【００３８】
また、野菜室２２の上下の部屋が製氷室２０と第１の冷凍室１９、第２の冷凍室２１と冷凍系の貯蔵室で、野菜室２２の背面には冷凍系吐出風路と冷凍系戻り風路が配置しているので、熱伝導による野菜室２２への冷却効果を生じさせることができ、冷蔵系吐出風路から野菜室２２へ導かれる冷気量を低減できるので、その分冷蔵室１８への冷気量を増加させることができ冷蔵室性能を高めることができる。
【００３９】
また、野菜室２２に導かれた冷気によりアルミプレート３４が冷却されることで、野菜室２２を間接的に冷やしているので、野菜室２２内は高湿となり、野菜類の保鮮性を向上させることができる。
【００４０】
（実施の形態４）
図１は本発明の実施の形態４による冷蔵庫の正面図である。図２は本発明の実施の形態４による冷蔵庫の風路図である。図７は本発明の実施の形態４における冷蔵室ダクトの風路断面図である。
【００４１】
図１の説明は実施の形態１と同様であるため省略する。
【００４２】
図２、図７において、第１の仕切り壁２３、第２の仕切り壁２４、第３の仕切り壁２５、第１の冷却器２６、冷蔵室用ダクト２７、冷蔵室用冷却ファン２８、第２の冷却器３０、冷凍室用ダクト３１、冷凍室用冷却ファン３２は実施の形態１と同様であるため詳細な説明は省略する。３５は野菜収納ケースであり、上部に蓋３６が備えられている。
【００４３】
以上のように構成された冷蔵庫について、以下その動作、作用について説明する。
【００４４】
冷蔵室１８及び製氷室２２、野菜室２２は第１の冷却器２６によって冷却される冷気を循環させることによって冷却される。また、第１の冷凍室１９及び第２の冷凍室２１は、第２の冷却器３０で冷却された冷気を直接循環させることによって冷却される。そして、野菜室２２の野菜収納ケース３５は上部に設けた蓋３６を介して間接的に冷却される。
【００４５】
以上のように、本実施の形態においては第１の冷却器２６で冷蔵室１８及び製氷室２０、野菜室２２を冷却し、第２の冷却器３０で第１の冷凍室１９及び第２の冷凍室２１を冷却するようにしたことにより、夏場冷蔵室１８のドア開閉が増え冷蔵室１８に暖湿気が流入して、第１の冷却器２６に霜が付着し、冷却能力が低下しても、第２の冷却器３０は全く影響受けないため冷凍室２１の冷凍能力を十分確保することができる。
【００４６】
また、野菜室２２の上下の部屋が製氷室２０と第１の冷凍室１９、第２の冷凍室２１と冷凍系の貯蔵室で、野菜室２２の背面には冷凍系吐出風路と冷凍系戻り風路が配置しているので、熱伝導による野菜室２２への冷却効果を生じさせることができ、冷蔵系吐出風路から野菜室２２へ導かれる冷気量を低減できるので、その分冷蔵室１８への冷気量を増加させることができ冷蔵室性能を高めることができる。
【００４７】
また、野菜室２２に導かれた冷気によって蓋３６及び野菜収納ケース３５の周囲を冷却することで、間接的に野菜収納ケース３５内を冷却し、野菜収納ケース３５内の湿度を高く維持でき、野菜類の保鮮性を向上させることができる。
【００４８】
（実施の形態５）
図１は本発明の実施の形態５による冷蔵庫の正面図である。図２は本発明の実施の形態５による冷蔵庫の風路図である。図８は本発明の実施の形態５における冷蔵室ダクトの風路断面図である。
【００４９】
図１の説明は実施の形態１と同様であるため省略する。
【００５０】
図２、図８において、第１の仕切り壁２３、第２の仕切り壁２４、第３の仕切り壁２５、第１の冷却器２６、冷蔵室用ダクト２７、冷蔵室用冷却ファン２８、第２の冷却器３０、冷凍室用ダクト３１、冷凍室用冷却ファン３２は実施の形態１と同様であるため詳細な説明は省略する。３７は野菜室２２への冷気風量を調節するダンパーで、冷蔵系吐出風路に設けられている。３８はダンパー３７を制御する温度センサーである。
【００５１】
以上のように構成された冷蔵庫について、以下その動作、作用について説明する。
【００５２】
冷蔵室１８及び製氷室２２、野菜室２２は第１の冷却器２６によって冷却される冷気を循環させることによって冷却される。また、第１の冷凍室１９及び第２の冷凍室２１は、第２の冷却器３０で冷却された冷気を循環させることによって冷却される。
【００５３】
以上のように、本実施の形態においては第１の冷却器２６で冷蔵室１８及び製氷室２０、野菜室２２を冷却し、第２の冷却器３０で第１の冷凍室１９及び第２の冷凍室２１を冷却するようにしたことにより、夏場冷蔵室１８のドア開閉が増え冷蔵室１８に暖湿気が流入して、第１の冷却器２６に霜が付着し、冷却能力が低下しても、第２の冷却器３０は全く影響受けないため冷凍室２１の冷凍能力を十分確保することができる。
【００５４】
また、野菜室２２の上下の部屋が製氷室２０と第１の冷凍室１９、第２の冷凍室２１と冷凍系の貯蔵室で、野菜室２２の背面には冷凍系吐出風路と冷凍系戻り風路が配置しているので、熱伝導による野菜室２２への冷却効果を生じさせることができ、冷蔵系吐出風路から野菜室２２へ導かれる冷気量を低減できるので、その分冷蔵室１８への冷気量を増加させることができ冷蔵室性能を高めることができる。
【００５５】
また、ダンパー３７によって野菜室２２の扉開閉や外気温などの負荷変動に応じて、野菜室２２への冷気量の適正化が図られるので、負荷変動があっても野菜室の温度変化を少なくすることができ、野菜の保鮮性を向上させることができる。
【産業上の利用可能性】
【００５６】
以上のように、本発明にかかる冷蔵庫は、第１の冷却器で冷蔵室及び製氷室、野菜室を冷却し、第２の冷却器で第１の冷凍室及び第２の冷凍室を冷却するようにしたことにより、夏場冷蔵室のドア開閉が増え冷蔵室に暖湿気が流入して、第１の冷却器に霜が付着し、冷却能力が低下しても、第２の冷却器は全く影響受けないため冷凍室の冷凍能力を十分確保することが可能となるので業務用冷蔵庫にも応用することができる。
【図面の簡単な説明】
【００５７】
【図１】本発明による冷蔵庫の実施の形態１、実施の形態２、実施例３、実施例４、実施例５を説明する冷蔵庫正面図
【図２】本発明による冷蔵庫の実施の形態１、実施の形態２、実施例３、実施例４、実施例５を説明する冷蔵庫風路正面図
【図３】本発明による冷蔵庫の実施の形態１を説明する冷蔵室ダクトの風路断面図
【図４】本発明による冷蔵庫の実施の形態１を説明する冷凍室ダクトの風路断面図
【図５】本発明による冷蔵庫の実施の形態２を説明する冷蔵室ダクトの風路断面図
【図６】本発明による冷蔵庫の実施の形態３を説明する冷蔵室ダクトの風路断面図
【図７】本発明による冷蔵庫の実施の形態４を説明する冷蔵室ダクトの風路断面図
【図８】本発明による冷蔵庫の実施の形態５を説明する冷蔵室ダクトの風路断面図
【図９】従来の冷蔵庫の冷蔵庫風路正面図
【符号の説明】
【００５８】
１７  冷蔵庫本体
１８  冷蔵室
１９  第１の冷凍室
２０  製氷室
２１  第２の冷凍室
２２  野菜室
２６  第１の冷却器
２７  冷蔵室用ダクト
３０  第２の冷却器
３１  冷凍室用ダクト
３３  樹脂プレート
３４  アルミプレート
３５  野菜収納ケース
３６  蓋
３７  ダンパー
３８  温度センサー
【図１】
2006010164.tif 000003
【図２】
2006010164.tif 000004
【図３】
2006010164.tif 000005
【図４】
2006010164.tif 000006
【図５】
2006010164.tif 000007
【図６】
2006010164.tif 000008
【図７】
2006010164.tif 000009
【図８】
2006010164.tif 000010
【図９】
2006010164.tif 000011